(57)【要約】【課題】使用数が多く、展示効果が高い光明灯の願い事カード結合構造を提供する。【解決手段】光明灯の願い事カード結合構造は、照明ベース１０と、複数の願い事カード２０とを備える。照明ベース１０は、カセット本体１１と、制御回路モジュール１４と、複数のＬＥＤ１５とを有する。カセット本体１１は、少なくとも１つの位置決め溝１２を有する。位置決め溝１２内には、第１の結合部材１３が設けられる。ＬＥＤ１５は、制御回路モジュール１４と接続される。願い事カード２０は、カード本体２１及び第２の結合部材２２により構成される。第１の結合部材１３と第２の結合部材２２とは、互いに吸引し合う磁気吸引群である。願い事カード２０は、第２の結合部材２２を介して第１の結合部材１３の任意の箇所に吸引位置決めされる。【選択図】図２
0003211819.tif 000002
【実用新案登録請求の範囲】
【請求項１】
照明ベースと、複数の願い事カードとを備えた、光明灯の願い事カード結合構造であって、
前記照明ベースは、カセット本体と、制御回路モジュールと、複数のＬＥＤと、を有し、前記カセット本体は、少なくとも１つの位置決め溝を有し、前記位置決め溝内には、第１の結合部材が設けられ、前記ＬＥＤは、前記制御回路モジュールと接続され、
前記願い事カードは、カード本体及び第２の結合部材により構成され、前記第１の結合部材と前記第２の結合部材とは、互いに吸引し合う磁気吸引群であり、
前記願い事カードは、前記第２の結合部材を介して前記第１の結合部材の任意の箇所に吸引位置決めされることを特徴とする光明灯の願い事カード結合構造。
【請求項２】
前記ＬＥＤは、前記位置決め溝内に設けられることを特徴とする請求項１に記載の光明灯の願い事カード結合構造。
【請求項３】
前記第２の結合部材は、前記カード本体の少なくとも一側に結合されていることを特徴とする請求項１に記載の光明灯の願い事カード結合構造。
【請求項４】
前記第２の結合部材は、前記カード本体内に埋設されることを特徴とする請求項１に記載の光明灯の願い事カード結合構造。
【請求項５】
前記磁気吸引群は、永久磁石と強磁性金属との組み合わせで構成されていることを特徴とする請求項１に記載の光明灯の願い事カード結合構造。
【請求項６】
前記磁気吸引群は、磁性が異なる２つの永久磁石であることを特徴とする請求項１に記載の光明灯の願い事カード結合構造。
【請求項７】
前記カード本体は、透光性のプラスチック、ガラス又は鉱石からなることを特徴とする請求項１に記載の光明灯の願い事カード結合構造。
【考案の詳細な説明】
【技術分野】
【０００１】
本考案は、願い事カード（祈願カード）の結合構造に関するものであり、さらに詳しくは、光明灯装置に使用し、幸福を祈るための願い事カードを照明ベース上に固定することが可能な光明灯の願い事カード結合構造に関するものである。
【背景技術】
【０００２】
「光明灯」は、墓参灯とも称され、従来、蝋燭又はランプを燃焼して光を発生させることができる上、宗教の祈祷にも用いられ、華人のお寺などでは仏像の前で蝋燭、ランプなどに火をともして祈祷し、神明の庇護を受けるために用いる。また、欧米の一部の教会では、信者が火をともすことができるように、光明灯に似た燭台が使用されてきた。
【０００３】
近代のお寺の多くは、商用電源をエネルギー源とすると共に、小スペースを有する光明灯装置を使用している。小スペース内では小型ランプが点灯され、外側面の透明な小窓に、祈願者の氏名が直接記載されているか、氏名のメモ用紙が貼られている。しかし、このような表示機能では、氏名が簡素に表示されるだけであり、外観が良くない上、使用期限に達したときに、管理者により適当に交換されたり処理されたりした。
【０００４】
従来の光明灯の小スペースは並列配列されているため、使用可能な小スペースの数が建物内の壁面積又は空間により制限される上、小スペースの位置が理想的でないという問題点もあり、使用者にとって外観が良くなかった。そのため、光明灯の表示方式を改善し、展示効果を高めることが求められていた。
【考案の概要】
【考案が解決しようとする課題】
【０００５】
本考案の主な課題は、繰返し使用することが可能であり、多数の使用回数に耐えることができ、展示効果が高い光明灯の願い事カード結合構造を提供することにある。本願明細書において、「願い事カード」は、「祈願カード」の意味を包含するものとして解釈する。
【課題を解決するための手段】
【０００６】
そこで、本考案者は、前記課題を解決するために鋭意検討を重ねた結果、磁気吸引の結合方式を採用することにより、前記課題を解決できる点に着目し、かかる知見に基いて本考案を想到するに至った。
【０００７】
かくして、本考案の要旨は次の（１）〜（７）に示す通りである。
（１）照明ベースと、複数の願い事カードとを備えた、光明灯の願い事カード結合構造であって、
前記照明ベースは、カセット本体と、制御回路モジュールと、複数のＬＥＤと、を有し、前記カセット本体は、少なくとも１つの位置決め溝を有し、前記位置決め溝内には、第１の結合部材が設けられ、前記ＬＥＤは、前記制御回路モジュールと接続され、
前記願い事カードは、カード本体及び第２の結合部材により構成され、前記第１の結合部材と前記第２の結合部材とは、互いに吸引し合う磁気吸引群であり、
前記願い事カードは、前記第２の結合部材を介して前記第１の結合部材の任意の箇所に吸引位置決めされることを特徴とする光明灯の願い事カード結合構造。
（２）前記ＬＥＤは、前記位置決め溝内に設けられることを特徴とする前記（１）に記載の光明灯の願い事カード結合構造。
（３）前記第２の結合部材は、前記カード本体の少なくとも一側に結合されていることを特徴とする前記（１）に記載の光明灯の願い事カード結合構造。
（４）前記第２の結合部材は、前記カード本体内に埋設されることを特徴とする前記（１）に記載の光明灯の願い事カード結合構造。
（５）前記磁気吸引群は、永久磁石と強磁性金属との組み合わせで構成されていることを特徴とする前記（１）に記載の光明灯の願い事カード結合構造。
（６）前記磁気吸引群は、磁性が異なる２つの永久磁石であることを特徴とする前記（１）に記載の光明灯の願い事カード結合構造。
（７）前記カード本体は、透光性のプラスチック、ガラス又は鉱石からなることを特徴とする前記（１）に記載の光明灯の願い事カード結合構造。
【考案の効果】
【０００８】
本考案の光明灯の願い事カード結合構造は、磁気吸引の結合方式を利用するとともに願い事カードを使用し、照明ベースの意匠性がより柔軟となり、同時に使用する使用人数が増え、大幅に外観が良くなる上、使用者は願い事カードを回収して繰り返して使用することができるため、無駄を防ぐことができる。
【図面の簡単な説明】
【０００９】
【図１】図１は、本考案の一実施形態に係る光明灯の願い事カード結合構造を示す構造図である。
【図２】図２は、本考案の一実施形態に係る光明灯の願い事カード結合構造を示す説明図である。
【図３】図３は、本考案の他の実施形態に係る光明灯の願い事カード結合構造を示す説明図である。
【図４】図４は、本考案の他の実施形態に係る光明灯の願い事カード結合構造を示す構造図である。
【図５】図５は、本考案の他の実施形態に係る光明灯の願い事カード結合構造を示す説明図である。
【考案を実施するための形態】
【００１０】
まず、図１を参照する。図１に示すように、本考案の一実施形態に係る光明灯の願い事カード結合構造は、少なくとも照明ベース１０と、複数の願い事カード２０とから構成されてなる。照明ベース１０は、カセット本体１１と、制御回路モジュール１４と、複数のＬＥＤ１５と、を有する。カセット本体１１は、少なくとも１つの位置決め溝１２を有する。位置決め溝１２の底面には、第１の結合部材１３が設けられる。ＬＥＤ１５は、位置決め溝１２に近傍し、制御回路モジュール１４と接続され、点灯し続けることができる上、設定により照明を変化させたり位置決め指示機能を得たりすることができる。
【００１１】
願い事カード２０は、カード本体２１及び第２の結合部材２２により構成される。カード本体２１は、透明又は非透明なプラスチック、ガラス、鉱石、金属などの材料からなる上、表面に文字又はパターンが加工形成されて願い事に用いられる。第２の結合部材２２は、第１の結合部材１３を結合する箇所として用い、本実施形態では枠体を例として説明しているが、枠体だけに限定されるわけではない。ここで第１の結合部材１３と第２の結合部材２２とは、互いに吸引し合う磁気吸引群でもよく、第１の結合部材１３と第２の結合部材２２とは、永久磁石が組み合わされて永久磁石の磁力により吸引される強磁性金属でもよいし、或いは、それぞれ磁性が異なる２つの永久磁石の組み合わせでもよく、磁気吸引力を利用して願い事カード２０をカセット本体１１上に連結固定してもよい。
【００１２】
図２を参照する。図２は、上述したような構造を利用した好適な実施形態である。図２に示すように、本考案の一実施形態に係る光明灯の願い事カード結合構造のカセット本体１１は、少なくとも１つの位置決め溝１２を有する。位置決め溝１２には、少なくとも１つの願い事カード２０が載置され、願い事カード２０前に設けたＬＥＤ１５は、使用する際、発光して願い事カード２０を照らすのに用いられる。本考案の一実施形態に係る光明灯の願い事カード結合構造は、照明ベース１０に複数の願い事カード２０が載置されているため、光明灯構造の使用空間が制限されるという従来技術の問題点を改善することができる。願い事カード２０は、磁気吸引力により照明ベース１０と結合されるが、照明ベース１０の外観は水平線状のみに限定されず、意匠性を変化させて見栄えを良くしてもよい。
【００１３】
図３及び図４を参照する。図３及び図４では、本考案の他の実施形態に係る光明灯の願い事カード結合構造の磁気吸引構造が示され、側面から結合された配列方式が、前の実施形態と異なり、ＬＥＤ１５が位置決め溝１２内に設けられ、願い事カード２０の第２の結合部材２２がＬＥＤ１５を覆っても、カード本体２１が透光材料からなる場合、ＬＥＤ１５の光線がカード本体２１を透過して外方へ出射され、様々な照明効果が得られる。
【００１４】
図５を参照する。図５に示すように、本考案の他の実施形態に係る光明灯の願い事カード結合構造のカセット本体１１には、複数の延長アーム１６が延設されている。延長アーム１６は、位置決め溝１２と、位置決め溝１２の底面に設けられた第１の結合部材１３と、を有する。願い事カード２０に設けた第２の結合部材２２は、カード本体２１内に埋設される。この構成により、本考案は複数の願い事カードを同時に展示することができる上、下から上方向へかけて組み合わせる載置方式により特別な特徴を有する。
【００１５】
上述したことから分かるように、本考案の光明灯の願い事カード結合構造は、願い事カードにより同時に使用する使用者数を増やし、従来の簡素な表示方式の代わりに願い事カードを利用して外観を良くし、使用者は願い事カードを回収して繰り返して使用することができるため、無駄を防ぐことができる。また、磁気吸引を利用する結合方式により、照明ベースの意匠性がより柔軟となり、使用空間を小さくすることができる上、願い事カードの光明灯を増やして製品の選択幅を増やすことができる。
【符号の説明】
【００１６】
１０  照明ベース
１１  カセット本体
１２  位置決め溝
１３  第１の結合部材
１４  制御回路モジュール
１５  ＬＥＤ
１６  延長アーム
２０  願い事カード
２１  カード本体
２２  第２の結合部材
【図１】
0003211819.tif 000003
【図２】
0003211819.tif 000004
【図３】
0003211819.tif 000005
【図４】
0003211819.tif 000006
【図５】
0003211819.tif 000007